(57)【要約】      （修正有）【課題】多様性のある画像表示を行う画像表示システムを提供する。【解決手段】発光領域５５０ｄ４、５５０ｆ４、５５０ｇ４と該発光領域を除く非発光領域５５０ｄ３、５５０ｆ３、５５０ｇ３とによる発光態様を、発光素子により発光領域が面発光することで発光領域において画像表示を視認可能とすると共に、該非発光領域を通して、その後方を視認可能とする画像表示装置５５０を備え、発光領域と非発光領域とによる発光態様が切り替えられることに対応して、発光領域において画像表示の態様を切り替え、非発光領域の後方を視認可能とする。【選択図】図５
2017032634.tif 000002
【特許請求の範囲】
【請求項１】
発光領域と該発光領域を除く非発光領域とによる発光態様を発光素子により前記発光領域が面発光することで当該発光領域において画像表示を視認可能とすると共に前記非発光領域の後方を当該非発光領域を通して視認可能とする視認態様切替表示手段と、
前記発光領域と前記非発光領域とによる発光態様を前記発光素子により切り替える発光態様切替手段と、
前記発光態様切替手段により前記発光領域と前記非発光領域とによる発光態様が切り替えられることに対応して当該発光領域において画像表示の態様を切り替える画像表示態様切替手段と、
を備えることで前記非発光領域の後方を視認可能とすることを特徴とする画像表示システム。
【発明の詳細な説明】
【技術分野】
【０００１】
本発明は、画像の表示を行う画像表示システムに関する。
【背景技術】
【０００２】
画像を表示する画像表示システムとして、面発光源をバックライトとして画像表示可能な液晶表示パネルとを備えた液晶表示装置が知られている（特許文献１参照）。
【先行技術文献】
【特許文献】
【０００３】
【特許文献１】特開２００７−２６４１８３号公報
【発明の概要】
【発明が解決しようとする課題】
【０００４】
特許文献１に記載されるような従来の画像表示システムは、表示パネル全体をムラなく明るく照明することで、表示パネル全体に画像を表示するものであった。そのため、画像の表示の見せ方の観点からすると、多様性に乏しかった。
【０００５】
そこで、本発明は、このような事情を鑑みてなされたものであり、その目的は、多様性のある画像表示を行う画像表示システムを提供することにある。
【課題を解決するための手段】
【０００６】
請求項１に係る画像表示システムは、上記課題を解決するために、
発光領域と該発光領域を除く非発光領域とによる発光態様を、発光素子により前記発光領域が面発光することで当該発光領域において画像表示を視認可能とすると共に前記非発光領域の後方を当該非発光領域を通して視認可能とする視認態様切替表示手段と、
前記発光領域と前記非発光領域とによる発光態様を前記発光素子により切り替える発光態様切替手段と、
前記発光態様切替手段により前記発光領域と前記非発光領域とによる発光態様が切り替えられることに対応して当該発光領域において画像表示の態様を切り替える画像表示態様切替手段と、
を備えることで前記非発光領域の後方を視認可能とすることを特徴とする。
【発明の効果】
【０００７】
請求項１に係る画像表示システムによれば、多様性のある画像表示を行う画像表示システムを提供することができる。
【図面の簡単な説明】
【０００８】
【図１】液晶表示モジュールの基本構成を示す模式的断面図である。
【図２】液晶表示モジュールにおける液晶表示パネルの構成を示す部分拡大図である。
【図３】液晶表示モジュールにおける照明装置の構成を示す図である。
【図４】導光板ユニットの外観の一例を示す斜視図である。
【図５】（Ａ）図４に示す導光板ユニットを前面から見た場合の構成例を示す前面分解斜視図であり、（Ｂ）液晶シャッタの原理説明図である。
【図６】図４に示す導光板ユニットを後面から見た場合の外観の一例を示す斜視図である。
【図７】図６に示す導光板ユニットを後面から見た場合の構成例を示す後面分解斜視図である。
【図８】導光板ユニットの断面構成の一例を示す断面図である。
【図９】画像表示システムの電気系統を示す要部ブロック図である。
【図１０】駆動基板のブロック図である。
【図１１】画像表示装置に備える第１の導光板による発光を調光点灯した場合における表示例である。
【図１２】画像表示装置に備える第２の導光板による発光を調光点灯した場合における表示例である。
【図１３】画像表示装置に備える第３の導光板による発光を調光点灯した場合における表示例である。
【発明を実施するための形態】
【０００９】
以下、本発明の実施例を図面に基づいて詳細に説明する。まず、液晶表示モジュールの基本構成について説明する。図１は液晶表示モジュールの基本構成を示す模式的断面図であり、図２は液晶表示モジュールにおける液晶表示パネルの構成を示す部分拡大図である。また、図３は液晶表示モジュールにおける照明装置の構成を示す図である。
【００１０】
図１に示されるように、本液晶表示モジュールの筐体は、扁平な直方体をなす箱の天板を除去した形状の収納ケース１に、底板を除去した同形状のカバーケース２が、嵌装されてなる。これら両ケース１、２は、共に金属板を加工して形成されている。カバーケース２の天板２０１には、表示を観察するための表示窓２０２が穿設されている。
【００１１】
上記筐体内には、フレーム３が配置されている。本実施形態のフレーム３は、共に空間外形が扁平な直方体をなす前室３ａと後室３ｂとが２段に重設されてなる。すなわち、直方体の空間を囲む枠体をなす側板３０１の所定高さ位置に、その内面全周にわたって仕切り棚３０２が突設され、この仕切り棚３０２を境界として、前室３ａと後室３ｂとが２段に重設され、これら前室３ａと後室３ｂは、仕切り棚３０２で囲まれた空間により連通されている。
【００１２】
フレーム３の前室３ａには、液晶表示パネル４が収納されている。本実施形態の液晶表示パネル４は、アクティブマトリクス方式の液晶表示パネルであり、平面外形が矩形をなす液晶セル５を挟んで表示の観察側となる前側に、同様の矩形をなす前位相差板６と前偏光板７がそれぞれ順次配置され、その後側に、同じく矩形をなす後位相差板８と後偏光板９がそれぞれ順次配置されてなる。
【００１３】
液晶セル５では、図２に示されるように、一対の前ガラス基板５１、後ガラス基板５２が、枠状シール材(不図示)により所定の間隙を保ち接合され、これら前、後ガラス基板５１、５２間の枠状シール材で囲まれた空間内には液晶が封入されて液晶層５３が形成されている。
【００１４】
接合された一対の前、後ガラス基板５１、５２のうちの一方の前ガラス基板５１の対向面(内面)には、画素を画定するためのブラックマスク５４が設置されている。ブラックマスク５４には、形成すべき画素に対応させて複数の開口がマトリックス配置で形成されている。
【００１５】
ブラックマスク５４の各開口には、赤、緑、青の３種類のカラーフィルタ５５Ｒ、５５Ｇ、５５Ｂが所定の配置でそれぞれ設置され、カラーフィルタ層５５が形成されている。ここで、各カラーフィルタ５５Ｒ、５５Ｇ、５５Ｂは、各開口よりも全周にわたり適長幅だけ大きい面積を備えており、周縁部をブラックマスク５４の開口縁部に重畳させて設置されている。
【００１６】
赤、緑、青の各色カラーフィルタ５５Ｒ、５５Ｇ、５５Ｂからなるカラーフィルタ層５５には、各色カラーフィルタ５５Ｒ、５５Ｇ、５５Ｂを一括して覆う一枚膜状の透明導電膜からなる共通電極５６が被着されている。そして、共通電極５６の表面には、液晶分子の配向を規制する前水平配向膜５７が一様に被着されている。
【００１７】
一方、後ガラス基板５２の内面には、前述した各ブラックマスク５４の開口に対応させて、透明導電膜からなる複数の画素電極５８が同様にマトリックス配置で設置されている。各画素電極５８には、スイッチング用能動素子としての薄膜トランジスタ５９が、それぞれ設置接続されている。なお、各薄膜トランジスタ５９を介して画素電極５８を作動させるためのゲート、ドレイン、及びソースの各配線や各配線間の絶縁膜等の図示は省略されている。そして、全ての画素電極５８及び薄膜トランジスタ５９等を覆って後水平配向膜６１が一様に被着されている。
【００１８】
上述のように配向処理された前、後水平配向膜５７、６１によって挟持された液晶層５３の各液晶分子６０は、電界が印加されていない初期状態においては、両水平配向膜５７、６１それぞれに施された配向処理方向５７ａ、６１ａに沿った配向規制力を受けている。
【００１９】
図１に戻って、本例の液晶セル５における一対のガラス基板５１、５２の大きさは、表示面側となる前ガラス基板５１よりも後ガラス基板５２の方が大きく、これら大きさの異なるガラス基板５１、５２は後ガラス基板５２の一縁辺が前ガラス基板５１の対応する縁辺から突出する配置で接合されている。後ガラス基板５２の突出縁辺５２ａには、各電極から引き出された配線とその各端部の接続端子(不図示)が配設されて駆動回路部が形成されており、この駆動回路部には駆動回路素子としてのドライバＬＳＩ１１がＣＯＧ（Ｃｈｉｐ  Ｏｎ  Ｇｌａｓｓ）搭載されている。そして、この駆動回路部の先端縁に設けられている入力端子列には、フレキシブル配線基板（ＦＰＣ：Ｆｌｅｘｉｂｌｅ  Ｐｒｉｎｔｅｄ  Ｃｉｒｃｕｉｔ）１２が導通接合されている。
【００２０】
フレーム３の後室３ｂ内には、サイドライト型の面状照明装置１３が収容されている。本実施形態のサイドライト型の面状照明装置１３は、照射対象の液晶表示パネル４に大略対応した矩形をなす透明な導光板１４の一端面１４１に、点光源としての発光ダイオード（以下、ＬＥＤ（Ｌｉｇｈｔ−Ｅｍｉｔｔｉｎｇ  Ｄｉｏｄｅ）という）１５がその光射出面を密接させて設置され、導光板１４の液晶表示パネル４に対向させる前面１４２とは反対側の後面１４３には光反射シート１６が設置されて、構成されている。導光板１４の光反射シート１６が設置された後面１４３には、ＬＥＤ１５から射出され一端面１４１から導光板１４内に入射した光を前面１４２に向けて反射させるための同心円状の凹凸パターン（不図示）が形成されている。
【００２１】
本実施形態では図３に示されるように２個のＬＥＤ１５、１５が配置されており、これらＬＥＤ１５、１５は、各光射出面を導光板１４の一端面１４１に密接させた状態で、フレキシブル配線基板１７上にＣＯＦ（Ｃｈｉｐ  Ｏｎ  Ｆｉｌｍ）方式により直接搭載されている。
【００２２】
各ＬＥＤ１５は、それぞれ、図３に示されるように、赤、緑、青の各波長光を射出する赤、緑、青の各色ＬＥＤチップ１５ｒ、１５ｇ、１５ｂからなり、各色ＬＥＤチップ１５ｒ、１５ｇ、１５ｂから射出される赤、緑、青の各波長光が混色された白色光が出射される三波長型白色点光源である。各色ＬＥＤチップ１５ｒ、１５ｇ、１５ｂから射出される赤、緑、青の各波長光の強度は、各ＬＥＤチップ１３ｒ、１３ｇ、１３ｂの駆動電流を制御することにより調整される。
【００２３】
図１に示されるように、導光板１４の前面１４２には、光拡散シート１８とプリズムシート１９が、その順序で重畳設置されている。光拡散シート１８は導光板１４から面状に出射される照射光の輝度分布を均一化するために、プリズムシート１９は照射光の出射方向を正面方向に揃えるために、それぞれ設置されている。
【００２４】
そして、上述のように構成された面状照明装置１３は、後室３ｂ内の所定位置に、背面パネル２１に支持された状態で収納されている。背面パネル２１は、フレーム後室３ｂの底面を閉じる配置で、フレーム３に嵌合装着されている。
【００２５】
背面パネル２１の後面側で収納ケース１における底板１０１の内面には、駆動制御回路基板２２が設置されている。この駆動制御回路基板２２は、本液晶表示モジュール全体の駆動を制御するものであり、液晶表示パネル４の駆動制御回路やＬＥＤ１５の駆動制御回路が設けられている。したがって、この駆動制御回路基板２２には、前述した液晶表示パネル４の後ガラス基板５２の突出縁辺５２ａの先端部に導通接合され、ＬＥＤ１５がＣＯＦ搭載されているフレキシブル配線基板１７が半田接合により導通接続されているフレキシブル配線基板１２が、コネクタ２３を介して電気接続されている。
【００２６】
ここで、ＬＥＤ１５の駆動制御回路は、図３に示されるように、各ＬＥＤ１５を定電流駆動するＬＥＤドライバ回路２２１と、制御演算部２２２及びメモリ２２３からなる。このメモリ２２３に書き込まれたデータに基づき、各色ＬＥＤチップ１５ｒ、１５ｇ、１５ｂを駆動すべき電流値が制御演算部２２２により演算され、各ＬＥＤチップ１５ｒ、１５ｇ、１５ｂがＬＥＤドライバ回路２２１を介して駆動制御される。
【００２７】
以上に説明した液晶表示モジュールは、バックライトとしての導光板１４が１枚のものであった。
【００２８】
［画像表示装置５５０］
以下に説明する画像表示装置５５０は、複数枚の導光板（複数枚の面発光源に相当する）と、複数枚の導光板の各々に対応した複数の光源と、複数の面発光源の１つもしくは複数をバックライトとして、画像表示可能な透過型の表示パネルと、を備えている。
【００２９】
以下、本実施例の画像表示装置５５０について、主として図４乃至図８を参照して詳細に説明する。まず、図４は画像表示装置の外観の一例を示す斜視図であり、図５（Ａ）は図４に示す画像表示装置を前面から見た場合の構成例を示す前面分解斜視図であり、（Ｂ）は液晶シャッタの原理説明図である。また、図６は図４に示す画像表示装置を後面から見た場合の外観の一例を示す斜視図であり、図７は、図６に示す画像表示装置を後面から見た場合の構成例を示す後面分解斜視図である。さらに、図８は画像表示装置の断面構成の一例を示す断面図である。
【００３０】
画像表示装置５５０は、図４乃至図７に示すように全体として平板状の箱部材である。画像表示装置５５０は、図４の前面斜視図に示すように正面に表示領域となるべき開口部５５０ｃａが形成された平板形状のフレーム５５０ｃに、図６の後面斜視図に示すように透明な裏蓋５５０ｍが着脱可能に取り付けられている。フレーム５５０ｃは、その上端面、左側面、下端面、及び右側面が平坦な面で構成されている。フレーム５５０ｃの左側面の中央部と右側面の中央部とに突起部５５０ｃｂがそれぞれ形成されている。この突起部５５０ｃｂは、その後方が開口されて形成され、画像表示装置５５０に収容される各種電気部材に電気配線を通すための配線口としての機能を有している。なお、フレーム５５０ｃの左側面と右側面とには、突起部５５０ｃｂの上方と下方とに画像表示装置５５０を他の部材に取り付けるための取付穴が形成される取付突出部がそれぞれ形成されている。また、突起部５５０ｃｂを除くフレーム５５０ｃの内側面には、フレーム５５０ｃの正面裏面側から後方に向かって直方体の形状を有するリブ５５０ｃｃが所定間隔だけ離間して複数形成され、フレーム５５０ｃの構造上の補強部材として機能するほかに、フレーム５５０ｃの内部に収容されるタッチパネル５５０ａ、液晶パネル５５０ｅ、スペーサ５５０ｓ、第１の導光板５５０ｄ、スペーサ５５０ｓ、第２の導光板５５０ｆ、スペーサ５５０ｓ、及び第３の導光板５５０ｇを上下左右方向への移動を規制する固定補助部材としての機能も有している。
【００３１】
この画像表示装置５５０を分解すると、図５の前面分解斜視図及び図７の後面分解斜視図に示すように、フレーム５５０ｃと裏蓋５５０ｍとの間には、フレーム５５０ｃから裏蓋５５０ｍに向かって、タッチパネル５５０ａ、液晶パネル５５０ｅ、スペーサ５５０ｓ、第１の導光板５５０ｄ、スペーサ５５０ｓ、第２の導光板５５０ｆ、スペーサ５５０ｓ、及び第３の導光板５５０ｇという順番で平行となるように配列されて収容されている。なお、詳細は後述するが、これら各導光板５５０ｄ、５５０ｆ、５５０ｇは、例えば、上下面などの端面から入射された光をその内部で反射させて拡散することにより、その表面から均一な光を出射するパネルの一種である。
【００３２】
タッチパネル５５０ａは、液晶パネル５５０ｅの前方を覆うように配置され、接触状態を検知することができる静電容量型の透明なタッチパネルである。
【００３３】
液晶パネル５５０ｅは、図５及び図７に示すように透明な矩形の平板状部材であり、その上端面及び下端面に各々２つの取付部５５０ｅ１，５５０ｅ２によってフレーム５５０ｃ内に固定されている。液晶パネル５５０ｅは、その矩形の平板状部材の表面に沿って薄く広がる矩形の液晶部５５０ｅ３、及び、その矩形の周囲を包囲する形状の透明パネル５５０ｅ４を備えている。
【００３４】
液晶部５５０ｅ３は、基本的な構成は図２において説明したように、互いの偏光方向を所定の角度（例えば直角）とした２枚の偏光層を備えていると共に、これら２枚の偏光層の間に、多数の液晶分子が配列された液晶層を備えている。なお、配向膜などその他の構成については説明を省略する。液晶部５５０ｅは、例えば、後述する表示制御基板４７３による通電状態の制御に応じて、上記多数の液晶分子の配列状態を制御することにより光の透過量が制御される。この液晶部５５０ｅ３は、例えば、三原色に相当する透明な複数のドット毎に設けられた一対の透明電極への通電状態に応じてそれら各部分における各液晶分子の配列が変わり、それら複数のドット毎に、一方の偏光層を通過した光が他方の偏光層を通過する光量を調整することができる。
【００３５】
第１の導光板５５０ｄは、平板状の透明パネルであって、その透明パネルの上端面に導光板上装飾基板５５０ｄ１（一方の光源）が設けられていると共に、その透明パネルの下端面に導光板下装飾基板５５０ｄ２（他方の光源）が設けられている。
【００３６】
第１の導光板５５０ｄは、導光板上装飾基板５５０ｄ１及び導光板下装飾基板５５０ｄ２の光源の点灯により、内部に光が入射された際に正面から見た場合、第１の導光板５５０ｄの中央から下側へ向かって矩形状に形成される非発光領域５５０ｄ３と、この非発光領域５５０ｄ３を除いた形状となる凹字を上下にひっくり返した形状（以下、「逆凹字状」と記載する。）に形成される面発光源としての発光領域５５０ｄ４と、を有している。第１の導光板５５０ｄでは、透明パネルの裏面（背面）であって発光領域５５０ｄ４内に多数の反射部が加工形成されることで光源の点灯により発光領域５５０ｄ４が面発光源となるのに対して、非発光領域５５０ｄ３に発射部が全く形成されず、光源の点灯により非発光領域５５０ｄ３が全く面発光源とならない。
【００３７】
第１の導光板５５０ｄにおいては、導光板上装飾基板５５０ｄ１から出力された光（第１の光）がその上端面から入射されて透明パネルの内部を進みながら、上述のように透明パネルの裏面（背面）に形成した多数の反射部において反射し、主として正面から逆凹字状となって出力される。一方、導光板下装飾基板５５０ｄ２から出力された光（第２の光）がその下端面から入射されて透明パネルの内部を進みながら多数の反射部で反射して逆凹字状となって主として正面から出力される。
【００３８】
つまり、第１の導光板５５０ｄは、発光領域５５０ｄ４から正面方向（フレーム５５０ｃの方向）に面発光するのである。これにより、液晶パネル５５０ｅには、第１の導光板５５０ｄで面発光された逆凹字状の光が入射されることになり、正面から見た場合、液晶パネル５５０ｅの制御態様に応じて液晶パネル５５０ｅで逆凹字状の内側部分に画像を容易に視認することができるようになる。
【００３９】
第２の導光板５５０ｆは、平板状の透明パネルであって、その透明パネルの上端面に導光板上装飾基板５５０ｆ１（一方の光源）が設けられていると共に、その透明パネルの下端面に導光板下装飾基板５５０ｆ２（他方の光源）が設けられている。
【００４０】
第２の導光板５５０ｆは、導光板上装飾基板５５０ｆ１及び導光板下装飾基板５５０ｆ２の光源の点灯により、内部に光が入射された際に正面から見た場合、第２の導光板５５０ｆの下側に帯状に形成される非発光領域５５０ｆ３と、この帯状を有する非発光領域５５０ｆ３の上方に、帯状と同一の大きさを有する面発光源としての発光領域５５０ｆ４と、この帯状を有する発光領域５５０ｆ４の上方に、帯状と同一の大きさを有する帯状の非発光領域５５０ｆ３と、この帯状を有する非発光領域５５０ｆ３の上方であって第２の導光板５５０ｆの略中央から第２の導光板５５０ｆの上側までに亘って矩形状を有する面発光源としての発光領域５５０ｆ４と、を有している。第２の導光板５５０ｆでは、透明パネルの裏面（背面）であって２つの発光領域５５０ｆ４内に多数の反射部がそれぞれ加工形成されることで光源の点灯により２つの発光領域５５０ｆ４が面発光源となるのに対して、２つの非発光領域５５０ｆ３に発射部がそれぞれ全く形成されず、光源の点灯により２つの非発光領域５５０ｆ３がそれぞれ全く面発光源とならない。
【００４１】
第２の導光板５５０ｆにおいては、導光板上装飾基板５５０ｆ１から出力された光（第１の光）がその上端面から入射されて透明パネルの内部を進みながら、上述のように透明パネルの裏面（背面）に形成した多数の反射部において反射し、主として正面から帯状と矩形状とになって出力される。一方、導光板下装飾基板５５０ｆ２から出力された光（第２の光）がその下端面から入射されて透明パネルの内部を進みながら多数の反射部で反射して帯状と矩形状とになって主として正面から出力される。
【００４２】
つまり、第２の導光板５５０ｆは、１つの帯状の発光領域５５０ｆ４と１つの矩形状の発光領域５５０ｆ４とによる２つの発光領域５５０ｆ４から正面方向（フレーム５５０ｃの方向）に面発光するのである。これにより、液晶パネル５５０ｅには、第２の導光板５５０ｆで面発光された帯状の光と矩形状の光とが入射されることになり、正面から見た場合、液晶パネル５５０ｅの制御態様に応じて液晶パネル５５０ｅで帯状の内側部分と矩形状の内側部分とにそれぞれ画像を容易に視認することができるようになる。
【００４３】
第３の導光板５５０ｇは、平板状の透明パネルであって、その透明パネルの上端面に導光板上装飾基板５５０ｇ１（一方の光源）が設けられていると共に、その透明パネルの下端面に導光板下装飾基板５５０ｇ２（他方の光源）が設けられている。
【００４４】
第３の導光板５５０ｇは、導光板上装飾基板５５０ｇ１及び導光板下装飾基板５５０ｇ２の光源の点灯により、内部に光が入射された際に正面から見た場合、第３の導光板５５０ｇの下側から上側に向かって、この上側のみ山字状の曲線として矩形状に形成される非発光領域５５０ｇ３と、この非発光領域５５０ｇ３を除いた形状となる略門字状に形成される面発光源としての発光領域５５０ｇ４と、を有している。第３の導光板５５０ｇでは、透明パネルの裏面（背面）であって発光領域５５０ｇ４内に多数の反射部が加工形成されることで光源の点灯により発光領域５５０ｇ４が面発光源となるのに対して、非発光領域５５０ｇ３に発射部が全く形成されず、光源の点灯により非発光領域５５０ｇ３が全く面発光源とならない。
【００４５】
第３の導光板５５０ｇにおいては、導光板上装飾基板５５０ｇ１から出力された光（第１の光）がその上端面から入射されて透明パネルの内部を進みながら、上述のように透明パネルの裏面（背面）に形成した多数の反射部において反射し、主として正面から略門字状となって出力される。一方、導光板下装飾基板５５０ｇ２から出力された光（第２の光）がその下端面から入射されて透明パネルの内部を進みながら多数の反射部で反射して略門字状となって主として正面から出力される。
【００４６】
つまり、第３の導光板５５０ｇは、発光領域５５０ｇ４から正面方向（フレーム５５０ｃの方向）に面発光するのである。これにより、液晶パネル５５０ｅには、第３の導光板５５０ｇで面発光された略門字状の光が入射されることになり、正面から見た場合、液晶パネル５５０ｅの制御態様に応じて液晶パネル５５０ｅで略門字状の内側部分に画像を容易に視認することができるようになる。
【００４７】
以上のように、正面側から順に配列している第１の導光板５５０ｄ、第２の導光板５５０ｆ及び第３の導光板５５０ｇのいずれを面発光させるかに応じて、液晶部５５０ｅ３が矩形状を有しているにもかかわらず、物理的に他の形状を有する液晶部５５０ｅ３と全く別な存在として液晶部が現れる。
【００４８】
さらに詳しく画像表示装置５５０の構造について説明すると、画像表示装置５５０は、図８の部分断面斜視図に示すように、フレーム５５０ｃに裏蓋５５０ｍを装着することによって形成される画像表示装置５５０の内部には、上述のように、タッチパネル５５０ａ、液晶パネル５５０ｅ、スペーサ５５０Ｓ、第１の導光板５５０ｄ、スペーサ５５０Ｓ、第２の導光板５５０ｆ、スペーサ５５０Ｓ、及び第３の導光板５５０ｇが互いに平行となるように配置されて収容されている。なお、フレーム５５０ｃの前面に形成された開口部５５０ｃａは、液晶パネル５５０ｅの矩形の液晶部５５０ｅ３の外周より小さい矩形状に形成されている。
【００４９】
第１の導光板５５０ｄには、図８の部分断面図に示すように、上端面に、基材５５０ｄ５に多数のＬＥＤ５５０ｄ６（本実施形態では、ＬＥＤ５５０ｄ６として白色ＬＥＤを採用している。）が実装された導光板上装飾基板５５０ｄ１が設けられていると共に、図８においては図示を省略しているが、下端面に、同様に基材に多数のＬＥＤが実装された導光板下装飾基板５５０ｄ２が設けられている。これら導光板上装飾基板５５０ｄ１及び導光板下装飾基板５５０ｄ２は、後述する制御基板４７１と駆動基板４７７とによる制御による通電状態に応じて各ＬＥＤ５５０ｄ６が光を出力する。これらの光は、第１の導光板５５０ｄの内部を通して反射され、前述のように逆凹字状の発光領域５５０ｄ４から液晶パネル５５０ｅに向けて（上記正面方向に相当）に出力される。このように反射された光によって使用者の目には、液晶パネル５５０ｅの制御態様に応じて、この液晶パネル５５０ｅを通して、逆凹字状の内側部分に画像が視認されるようになる。
【００５０】
第１の導光板５５０ｄは、導光板上装飾基板５５０ｄ１及び導光板下装飾基板５５０ｄ２に設けられた各ＬＥＤ５５０ｄ６が発光していない状態（通常の状態）では、第１の導光板５５０ｄが透明パネルとして構成されているため、使用者の目には、第１の導光板５５０ｄを介して、第１の導光板５５０ｄの後方が視認されるようになる。
【００５１】
第２の導光板５５０ｆは、２つの発光領域５５０ｆ４と２つの非発光領域５５０ｆ３との位置と形状を除き、第１の導光板５５０ｄとほぼ同様の構成であり、面発光する平板状の透明パネルであって、その透明パネルの上端面に、基材５５０ｆ５に多数のＬＥＤ５５０ｆ６（本実施形態では、ＬＥＤ５５０ｆ６として白色ＬＥＤを採用している。）が実装された導光板上装飾基板５５０ｆ１（一方の光源）が設けられていると共に、図８においては図示を省略しているが、下端面に、同様に基材に多数のＬＥＤが実装された導光板下装飾基板５５０ｆ２（他方の光源）が設けられている。これら導光板上装飾基板５５０ｆ１及び導光板下装飾基板５５０ｆ２は、後述する制御基板４７１と駆動基板４７７とにより制御されている。
【００５２】
一方、第３の導光板５５０ｇも、発光領域５５０ｇ４の位置と形状を除き、第１の導光板５５０ｄと第２の導光板５５０ｆとほぼ同様の構成であり、面発光する平板状の透明パネルであって、その透明パネルの上端面に、基材５５０ｇ５に多数のＬＥＤ５５０ｇ６（本実施形態では、ＬＥＤ５５０ｇ６として白色ＬＥＤを採用している。）が実装された導光板上装飾基板５５０ｇ１（一方の光源）が設けられていると共に、図８においては図示を省略しているが、下端面に、同様に基材に多数のＬＥＤが実装された導光板下装飾基板５５０ｇ２（他方の光源）が設けられている。これら導光板上装飾基板５５０ｇ１及び導光板下装飾基板５５０ｇ２は、後述する制御基板４７１と駆動基板４７７とにより制御されている。
【００５３】
また、本実施形態では、透過型の液晶パネル５５０ｅの表示領域のうち、液晶パネル５５０ｅに何も画像などが表示されていない領域については、液晶パネル５５０ｅが透過型であり、裏蓋５５０１も透明であるため、使用者は、この領域と対応する透過型の液晶パネル５５０ｅの後方、つまり画像表示装置５５０の後方に存在するものを見ることができる。
【００５４】
なお、画像表示装置５５０に各導光板の後面に液晶シャッタをそれぞれ配置して収容するように構成してもよい。具体的には、フレーム５５０ｃと裏蓋５５０ｍとの間には、フレーム５５０ｃから裏蓋５５０ｍに向かって、タッチパネル５５０ａ、液晶パネル５５０ｅ、スペーサ５５０ｓ、第１の導光板５５０ｄ、液晶シャッタＡ、スペーサ５５０ｓ、第２の導光板５５０ｆ、液晶シャッタＢ、スペーサ５５０ｓ、第３の導光板５５０ｇ、及び液晶シャッタＣという順番で平行となるように配列されて収容される。液晶シャッタＡ〜Ｃは、シート状をなし、例えば、ネマティック液晶の小滴（カプセルと呼びます）が分散した透明なポリマー・フィルムを２枚の透明導電膜付きポリエステル・フィルムに挟んでなり、電圧が印加されていない状態では、棒状の分子として表される液晶はカプセルの内壁に沿って並ぶことで、入射した光は、ポリマーと液晶の屈折率の違いおよび液晶の複屈折性によってカプセルの表面や内部で屈折し、その結果、光は直進できず散乱し、液晶シャッタＡ〜Ｃは不透明に見える（拡散状態）。また、電圧が印加されると、液晶分子が電圧を印加した方向と平行に並ぼうとし、電極に対して垂直に配列することで、屈折率がポリマーのそれと一致する液晶であれば、カプセルの界面がないのに等しい状態となり、その結果、光は散乱せず直進し、液晶シャッタＡ〜Ｃは透明に見えることになる（非拡散状態）。液晶シャッタＡ〜Ｃの透明／不透明への切り替え制御は、例えば制御基板４７１により行われる。
【００５５】
液晶シャッタＡは、第１の導光板５５０ｄの後面に沿うようにして第１の導光板５５０ｄの背後に配置され、第１の導光板５５０ｄの発光領域５５０ｄ４の背後で大きさおよび形状に対応する逆凹字状のセグと、その他の領域に対応するその他セグと、の２つのセグメントで構成される。液晶シャッタＡの場合、発光領域５５０ｄ４を発光させるときには、逆凹字状のセグ部分に電圧を印加せずに拡散状態（乳白色）とする。この場合、乳白色のセグ部分に一部の光が反射して前方に向けられる。これによっても、液晶パネル５５０ｅの逆凹字状の内側部分が背後から照明されることになり、発光領域５５０ｄ４と他の部分との境界が明確になる。そのため、液晶パネル５５０ｅにおける画像をより一層はっきり視認できるようになる。一方、発光領域５５０ｄ４を発光させないときには、逆凹字状のセグ部分に電圧を印加して透過する光を拡散しない非拡散状態（透明）とする。なお、その他セグは、常に電圧が印加される状態に制御されており、非拡散状態（透明）とする。また、第２の導光板５５０ｆ又は第３の導光板５５０ｇを面発光源として用いる場合には、逆凹字状のセグ部分とその他セグとが常に電圧がそれぞれ印加される状態に制御され、液晶シャッタＡの全体を非拡散状態（透明）とする。
【００５６】
液晶シャッタＢは、第２の導光板５５０ｆの後面に沿うようにして第２の導光板５５０ｆの背後に配置され、第２の導光板５５０ｆの２つ発光領域５５０ｄ４の背後で大きさおよび形状に対応する帯状のセグと矩形状のセグと、その他の領域に対応するその他セグと、の２つのセグメントで構成される。液晶シャッタＢの場合、２つの発光領域５５０ｆ４を発光させるときには、帯状のセグ部分と矩形状のセグ部分とに電圧をそれぞれ印加せずに拡散状態（乳白色）とする。この場合、乳白色のセグ部分に一部の光が反射して前方に向けられる。これによっても、液晶パネル５５０ｅの帯状の内側部分と矩形状の内側部分とが背後から照明されることになり、２つの発光領域５５０ｆ４と他の部分との境界が明確になる。そのため、液晶パネル５５０ｅにおける画像をより一層はっきり視認できるようになる。一方、２つの発光領域５５０ｆ４を発光させないときには、帯状のセグ部分と矩形状のセグ部分とに電圧をそれぞれ印加して透過する光を拡散しない非拡散状態（透明）とする。なお、その他セグは、常に電圧が印加される状態に制御されており、非拡散状態（透明）とする。また、第１の導光板５５０ｆ又は第３の導光板５５０ｇを面発光源として用いる場合には、帯状のセグ部分と矩形状のセグ部分と、その他セグと、が常に電圧がそれぞれ印加される状態に制御され、液晶シャッタＢの全体を非拡散状態（透明）とする。
【００５７】
液晶シャッタＣは、第３の導光板５５０ｇの後面に沿うようにして第３の導光板５５０ｇの背後に配置され、第３の導光板５５０ｇの発光領域５５０ｇ４の背後で大きさおよび形状に対応する略門字状のセグと、その他の領域に対応するその他セグと、の２つのセグメントで構成される。液晶シャッタＣの場合、発光領域５５０ｇ４を発光させるときには、略門字状のセグ部分に電圧を印加せずに拡散状態（乳白色）とする。この場合、乳白色のセグ部分に一部の光が反射して前方に向けられる。これによっても、液晶パネル５５０ｅの略門字状の内側部分が背後から照明されることになり、発光領域５５０ｇ４と他の部分との境界が明確になる。そのため、液晶パネル５５０ｅにおける画像をより一層はっきり視認できるようになる。一方、発光領域５５０ｇ４を発光させないときには、略門字状のセグ部分に電圧を印加して透過する光を拡散しない非拡散状態（透明）とする。なお、その他セグは、常に電圧が印加される状態に制御されており、非拡散状態（透明）とする。また、第１の導光板５５０ｆ又は第２の導光板５５０ｆを面発光源として用いる場合には、略門字状のセグ部分と、その他セグと、が常に電圧がそれぞれ印加される状態に制御され、液晶シャッタＢの全体を非拡散状態（透明）とする。
【００５８】
［画像表示システム及びその電気系統］
次に、画像表示システム１００及びその電気系統について、図９を参照して簡単に説明する。図９は、画像表示システムの電気系統を示す要部ブロック図である。画像表示システム１００は、制御基板４７１、表示制御基板４７３、駆動基板４７７、及び画像表示装置５００を備えて構成され、電源基板４７５からの各種電源が供給されている。制御基板４７１、表示制御基板４７３、及び駆動基板４７７等の各種基板は、画像表示装置５５０の各種制御を行うものであり、その詳細な説明を後述する。
【００５９】
まず、電源基板４７５が作成する各種電源は、制御基板４７１、表示制御基板４７３、駆動基板４７７、画像表示装置５５０におけるタッチパネル５５０ａ、及び画像表示装置５５０における液晶部５５０ｅ３等に対して、それぞれが必要とする電源が供給されている。また、電源基板４７５におけるグランド（ＧＮＤ）ラインは、制御基板４７１におけるグランド（ＧＮＤ）ラインと、表示制御基板４７３におけるグランド（ＧＮＤ）ラインと、駆動基板４７７におけるグランド（ＧＮＤ）ラインと、画像表示装置５５０におけるタッチパネル５５０ａのグランド（ＧＮＤ）ラインと、画像表示装置５５０における液晶部５５０ｅ３のグランド（ＧＮＤ）ラインと、電気的に接続され、同一のグランド（ＧＮＤ）に接地されている。
【００６０】
制御基板４７１は、画像表示装置５５０を統括制御するものである。表示制御基板４７３は、制御基板４７１からの画像作成に関する各種信号に基づいて画像信号を作成して画像表示装置５５０における液晶部５５０ｅ３に出力すると共に、表示制御基板４７３の状態（例えば、１つの画像の作成完了した旨を伝える信号、画像作成に不具合が発生している旨を伝える信号、表示制御基板４７３に何らかの不具合が発生している旨を伝える信号等）を制御基板４７１に出力するものである。駆動基板４７７は、制御基板４７１からの導光板に関する各種信号に基づいて画像表示装置５５０における第１の導光板５５０ｄ（導光板上装飾基板５５０ｄ１及び導光板下装飾基板５５０ｄ２の各ＬＥＤ５５０ｄ６）、第２の導光板５５０ｆ（導光板上装飾基板５５０ｆ１及び導光板下装飾基板５５０ｆ２の各ＬＥＤ５５０ｆ６）、及び第３の導光板５５０ｇ（導光板上装飾基板５５０ｇ１及び導光板下装飾基板５５０ｇ２の各ＬＥＤ５５０ｇ６）のうち、いずれか１つの導光板を選択してＬＥＤの輝度を調整すると共に、画像表示装置５５０におけるタッチパネル５５０ａに対して操作された操作情報がタッチパネル５５０ａから入力されると、その操作情報を制御基板４７１に出力するものである。
【００６１】
制御基板４７１は、画像作成に関する各種信号を表示制御基板４７３に出力することで画像による演出を進行する制御を行うことができる。制御基板４７１は、駆動基板４７７を介して、画像表示装置５５０におけるタッチパネル５５０ａに対して操作された操作情報が入力されると、この入力された操作情報に基づいて、画像作成に関する各種信号を表示制御基板４７３に出力することで操作情報に基づく画像を液晶部５５０ｅ３に表示する制御を行うことができる。
【００６２】
なお、本実施形態では、制御基板４７１、表示制御基板４７３、及び駆動基板４７７等の各種基板は、画像表示装置５５０とすべて別体に設けるように構成しているが、各種基板のうち、いずれか１つ、２つ、若しくはすべての各種基板を、使用者が画像表示装置５５０の後方を視認する際に妨げとならないように画像表示装置５５０の内部に収容するように構成することもできる。
【００６３】
［駆動基板４７７］
次に、駆動基板４７７について、図１０を参照して説明する。図１０は、駆動基板のブロック図である。
【００６４】
駆動基板４７７は、画像表示装置５５０に備える第１の導光板５５０ｄによる発光を調光点灯することができる第１の導光板制御回路４８０と、画像表示装置５５０に備える第２の導光板５５０ｆによる発光を調光点灯することができる第２の導光板制御回路４８２と、画像表示装置５５０に備える第１の導光板５５０ｄによる発光を調光点灯することができる第３の導光板制御回路４８４と、を主として備えている。
【００６５】
駆動基板４７７は、第１の導光板制御回路４８０に対する電源として第１の導光板用電源が電源基板４７５から供給され、第２の導光板制御回路４８２に対する電源として第２の導光板用電源が電源基板４７５から供給され、第３の導光板制御回路４８４に対する電源として第３の導光板用電源が電源基板４７５から供給されている。
【００６６】
駆動基板４７７は、第１の導光板５５０ｄによる発光を消灯、そして低輝度から高輝度までに亘る輝度範囲を調整して調光点灯することができる第１の導光板用ＰＷＭ（Ｐｕｌｓｅ  Ｗｉｄｔｈ  Ｍｏｄｕｌａｔｉｏｎ）信号が制御基板４７１から入力され、第２の導光板５５０ｆによる発光を消灯、そして低輝度から高輝度までに亘る輝度範囲を調整して調光点灯することができる第２の導光板用ＰＷＭ信号が制御基板４７１から入力され、第３の導光板５５０ｇによる発光を消灯、そして低輝度から高輝度までに亘る輝度範囲を調整して調光点灯することができる第３の導光板用ＰＷＭ信号が制御基板４７１から入力されている。
【００６７】
制御基板４７１からの第１の導光板用ＰＷＭ信号は、第１の導光板制御回路４８０に入力され、制御基板４７１からの第２の導光板用ＰＷＭ信号は、第２の導光板制御回路４８２に入力され、制御基板４７１からの第３の導光板用ＰＷＭ信号は、第３の導光板制御回路４８４に入力されている。
【００６８】
第１の導光板制御回路４８０は、第１の導光板５５０ｄの上端面に設けられる導光板上装飾基板５５０ｄ１と、第１の導光板５５０ｄの下端面に設けられる導光板下装飾基板５５０ｄ２と、にそれぞれ複数実装されるＬＥＤ５５０ｄ６に流れる電流を可変して輝度を調整することができるＬＥＤドライバＩＣ４８１を主として構成されている。第２の導光板制御回路４８２は、第２の導光板５５０ｆの上端面に設けられる導光板上装飾基板５５０ｆ１と、第２の導光板５５０ｆの下端面に設けられる導光板下装飾基板５５０ｆ２と、にそれぞれ複数実装されるＬＥＤ５５０ｆ６に流れる電流を可変して輝度を調整することができるＬＥＤドライバＩＣ４８３を主として構成されている。第３の導光板制御回路４８４は、第３の導光板５５０ｇの上端面に設けられる導光板上装飾基板５５０ｇ１と、第３の導光板５５０ｇの下端面に設けられる導光板下装飾基板５５０ｇ２と、にそれぞれ複数実装されるＬＥＤ５５０ｇ６に流れる電流を可変して輝度を調整することができるＬＥＤドライバＩＣ４８５を主として構成されている。
【００６９】
第１の導光板５５０ｄにおいて、導光板上装飾基板５５０ｄ１は、６個のＬＥＤ５５０ｄ６が電気的に直列接続されるＬＥＤ列を３列有し、計１８個のＬＥＤ５５０ｄ６が実装されていると共に、導光板下装飾基板５５０ｄ２は、６個のＬＥＤ５５０ｄ６が電気的に直列接続されるＬＥＤ列を３列有し、計１８個のＬＥＤ５５０ｄ６が実装されている。つまり、第１の導光板５５０ｄは、第１の導光板５５０ｄの上端面に１８個のＬＥＤ５５０ｄ６が実装されていると共に、第１の導光板５５０ｄの下端面に１８個のＬＥＤ５５０ｄ６が実装されていることにより、全体で３６個のＬＥＤ５５０ｄ６により発光領域５５０ｄ４が面発光することができるように構成されている。
【００７０】
第２の導光板５５０ｆにおいて、導光板上装飾基板５５０ｆ１は、６個のＬＥＤ５５０ｆ６が電気的に直列接続されるＬＥＤ列を３列有し、計１８個のＬＥＤ５５０ｆ６が実装されていると共に、導光板下装飾基板５５０ｆ２は、６個のＬＥＤ５５０ｆ６が電気的に直列接続されるＬＥＤ列を３列有し、計１８個のＬＥＤ５５０ｆ６が実装されている。つまり、第２の導光板５５０ｆは、第２の導光板５５０ｆの上端面に１８個のＬＥＤ５５０ｆ６が実装されていると共に、第２の導光板５５０ｆの下端面に１８個のＬＥＤ５５０ｆ６が実装されていることにより、全体で３６個のＬＥＤ５５０ｆ６により発光領域５５０ｆ４が面発光することができるように構成されている。
【００７１】
第３の導光板５５０ｇにおいて、導光板上装飾基板５５０ｇ１は、６個のＬＥＤ５５０ｇ６が電気的に直列接続されるＬＥＤ列を３列有し、計１８個のＬＥＤ５５０ｇ６が実装されていると共に、導光板下装飾基板５５０ｇ２は、６個のＬＥＤ５５０ｇ６が電気的に直列接続されるＬＥＤ列を３列有し、計１８個のＬＥＤ５５０ｇ６が実装されている。つまり、第３の導光板５５０ｇは、第３の導光板５５０ｇの上端面に１８個のＬＥＤ５５０ｇ６が実装されていると共に、第３の導光板５５０ｇの下端面に１８個のＬＥＤ５５０ｇ６が実装されていることにより、全体で３６個のＬＥＤ５５０ｇ６により発光領域５５０ｇ４が面発光することができるように構成されている。
【００７２】
ＬＥＤドライバＩＣ４８１、ＬＥＤドライバＩＣ４８３、及びＬＥＤドライバＩＣ４８５は、１つのＬＥＤ列に対して最大で１２個のＬＥＤ（白色ＬＥＤ）を電気的に直列接続することができると共に、６つのＬＥＤ列のＬＥＤ（７２個のＬＥＤ（＝１２個のＬＥＤ×６つのＬＥＤ列））を駆動することができるものである。
【００７３】
また、ＬＥＤドライバＩＣ４８１、ＬＥＤドライバＩＣ４８３、及びＬＥＤドライバＩＣ４８５は、予め定めた上限電圧まで昇圧することができるＰＷＭ方式のＤＣ／ＤＣコンバータ部と、予め定めた上限電流まで一定の電流を流すことができるカレントドライバ部と、をそれぞれ備えるものであり、後述するパワーコントロール端子であるＰＯＷＣＴＬ端子に入力されるそれぞれの第１の導光板用ＰＷＭ信号、第２の導光板用ＰＷＭ信号、及び第３の導光板用ＰＷＭ信号に基づいてＬＥＤの輝度点灯を高精度に行うことができるものである。
【００７４】
なお、本実施形態では、制御基板４７１は、第１の導光板５５０ｄにおける導光板上装飾基板５５０ｄ１及び導光板下装飾基板５５０ｄ２の各ＬＥＤ５５０ｄ６を消灯するときには、第１の導光板用ＰＷＭ信号の出力を停止する制御を行う一方、第１の導光板５５０ｄにおける導光板上装飾基板５５０ｄ１及び導光板下装飾基板５５０ｄ２の各ＬＥＤ５５０ｄ６を点灯するときにはＬＥＤの輝度を最大輝度（１００％）とするように第１の導光板用ＰＷＭ信号のデューティ比を設定して出力する制御を行う。また、制御基板４７１は、第２の導光板５５０ｆにおける導光板上装飾基板５５０ｆ１及び導光板下装飾基板５５０ｆ２の各ＬＥＤ５５０ｆ６を消灯するときには、第２の導光板用ＰＷＭ信号の出力を停止する制御を行う一方、第２の導光板５５０ｆにおける導光板上装飾基板５５０ｆ１及び導光板下装飾基板５５０ｆ２の各ＬＥＤ５５０ｆ６を点灯するときにはＬＥＤの輝度を最大輝度（１００％）とするように第２の導光板用ＰＷＭ信号のデューティ比を設定して出力する制御を行う。また、制御基板４７１は、第３の導光板５５０ｇにおける導光板上装飾基板５５０ｇ１及び導光板下装飾基板５５０ｇ２の各ＬＥＤ５５０ｇ６を消灯するときには、第３の導光板用ＰＷＭ信号の出力を停止する制御を行う一方、第３の導光板５５０ｇにおける導光板上装飾基板５５０ｇ１及び導光板下装飾基板５５０ｇ２の各ＬＥＤ５５０ｇ６を点灯するときにはＬＥＤの輝度を最大輝度（１００％）とするように第３の導光板用ＰＷＭ信号のデューティ比を設定して出力する制御を行う。
【００７５】
また、本実施形態では、第１の導光板制御回路４８０、第２の導光板制御回路４８２、及び第３の導光板制御回路４８４を同一の回路構成として採用した。ここでは、第１の導光板制御回路４８０について、以下詳細に説明し、第２の導光板制御回路４８２、及び第３の導光板制御回路４８４についての詳細な説明を省略する。
【００７６】
第１の導光板制御回路４８０は、ＬＥＤドライバＩＣ４８１を主として構成されている。ＬＥＤドライバＩＣ４８１は、レギュレータ部４８１ａ、エラーアンプ部４８１ｂ、ＰＷＭコンパレータ部４８１ｃ、カレント検出部４８１ｄ、発振部（ＯＳＣ）４８１ｅ、制御部４８１ｆ、ＳＲフリップフロップ部４８１ｇ、出力バッファ部４８１ｈ、カレントドライバ部４８１ｉ、入力バッファ部４８１ｋを主として回路構成されている。
【００７７】
ＬＥＤドライバＩＣ４８１における上述した予め定めた上限電圧まで昇圧することができるＰＷＭ方式のＤＣ／ＤＣコンバータ部は、エラーアンプ部４８１ｂ、ＰＷＭコンパレータ部４８１ｃ、カレント検出部４８１ｄ、発振部（ＯＳＣ）４８１ｅ、制御部４８１ｆ、ＳＲフリップフロップ部４８１ｇ、及び出力バッファ部４８１ｈから構成される回路であり、ＬＥＤドライバＩＣ４８１における上述した予め定めた上限電流まで一定の電流を流すことができるカレントドライバ部は、カレントドライバ部４８１ｉから構成される回路である。
【００７８】
レギュレータ部４８１ａは、電源端子であるＶｉｎ端子を介して電源が供給されると共に、パワーコントロール端子であるＰＯＷＣＴＬ端子、そして入力バッファ部４８１ｋを介して、制御基板４７１からの第１の導光板用ＰＷＭ信号が入力されている。レギュレータ部４８１ａは、第１の導光板用ＰＷＭ信号に基づいて、ＬＥＤドライバＩＣ４８１内の各種回路部に供給するための内部電源Ｖｒｅｇを作成したり、中止（停止）したりすることができるように構成されている。
【００７９】
エラーアンプ部４８１ｂは、６つの反転入力端子（図中、「−」と記載。）である第１の反転入力端子〜第６の反転入力端子と、１つの非反転入力端子（図中、「＋」と記載。）と、を有している。導光板上装飾基板５５０ｄ１は、上述したように、６個のＬＥＤ５５０ｄ６が電気的に直列接続されるＬＥＤ列を３列有し、計１８個のＬＥＤ５５０ｄ６が実装されていると共に、導光板下装飾基板５５０ｄ２は、上述したように、６個のＬＥＤ５５０ｄ６が電気的に直列接続されるＬＥＤ列を３列有し、計１８個のＬＥＤ５５０ｄ６が実装されている。
【００８０】
本実施形態では、導光板上装飾基板５５０ｄ１の３列のＬＥＤ列のうち、第１のＬＥＤ列の最終段のＬＥＤ５５０ｄ６（つまり、６つ目のＬＥＤ５５０ｄ６）のカソード端子がＬＥＤ１端子を介して第１の非反転入力端子に電気的に接続され、導光板上装飾基板５５０ｄ１の３列のＬＥＤ列のうち、第２のＬＥＤ列の最終段のＬＥＤ５５０ｄ６（つまり、６つ目のＬＥＤ５５０ｄ６）のカソード端子がＬＥＤ２端子を介して第２の非反転入力端子に電気的に接続され、導光板上装飾基板５５０ｄ１の３列のＬＥＤ列のうち、第３のＬＥＤ列の最終段のＬＥＤ５５０ｄ６（つまり、６つ目のＬＥＤ５５０ｄ６）のカソード端子がＬＥＤ３端子を介して第３の非反転入力端子に電気的に接続されている。つまり、ＬＥＤ端子１〜ＬＥＤ端子３には、各ＬＥＤ列の最終段のＬＥＤ５５０ｄ６のカソード端子に印加される電圧が印加されることとなる。
【００８１】
また本実施形態では、導光板下装飾基板５５０ｄ２の３列のＬＥＤ列のうち、第１のＬＥＤ列の最終段のＬＥＤ５５０ｄ６（つまり、６つ目のＬＥＤ５５０ｄ６）のカソード端子がＬＥＤ４端子を介して第４の非反転入力端子に電気的に接続され、導光板下装飾基板５５０ｄ２の３列のＬＥＤ列のうち、第２のＬＥＤ列の最終段のＬＥＤ５５０ｄ６（つまり、６つ目のＬＥＤ５５０ｄ６）のカソード端子がＬＥＤ５端子を介して第５の非反転入力端子に電気的に接続され、導光板下装飾基板５５０ｄ２の３列のＬＥＤ列のうち、第３のＬＥＤ列の最終段のＬＥＤ５５０ｄ６（つまり、６つ目のＬＥＤ５５０ｄ６）のカソード端子がＬＥＤ６端子を介して第６の非反転入力端子に電気的に接続されている。つまり、ＬＥＤ端子４〜ＬＥＤ端子６には、各ＬＥＤ列の最終段のＬＥＤ５５０ｄ６のカソード端子に印加される電圧が印加されることとなる。
【００８２】
一方、非反転入力端子には、内部電源Ｖｒｅｇから作成されるリファレンス電圧Ｖｒｅｆが印加されている。
【００８３】
エラーアンプ部４８１ｂは、第１の反転入力端子〜第６の反転入力端子に印加される電圧のうち、最も低い電圧と、非反転入力端子に印加されるリファレンス電圧Ｖｒｅｆと、を比較して比較結果を誤差電圧ＶｅｒとしてＰＷＭコンパレータ部４８１ｃに出力するように構成されている。エラーアンプ部４８１ｂは、導光板上装飾基板５５０ｄ１の３列のＬＥＤ列のうち、第１のＬＥＤ列の初段のＬＥＤ５５０ｄ６（つまり、１つ目のＬＥＤ５５０ｄ６）のアノード端子に印加される電圧、導光板上装飾基板５５０ｄ１の３列のＬＥＤ列のうち、第２のＬＥＤ列の初段のＬＥＤ５５０ｄ６（つまり、１つ目のＬＥＤ５５０ｄ６）のアノード端子に印加される電圧、導光板上装飾基板５５０ｄ１の３列のＬＥＤ列のうち、第３のＬＥＤ列の初段のＬＥＤ５５０ｄ６（つまり、１つ目のＬＥＤ５５０ｄ６）のアノード端子に印加される電圧、導光板下装飾基板５５０ｄ２の３列のＬＥＤ列のうち、第１のＬＥＤ列の初段のＬＥＤ５５０ｄ６（つまり、１つ目のＬＥＤ５５０ｄ６）のアノード端子に印加される電圧、導光板下装飾基板５５０ｄ２の３列のＬＥＤ列のうち、第２のＬＥＤ列の初段のＬＥＤ５５０ｄ６（つまり、１つ目のＬＥＤ５５０ｄ６）のアノード端子に印加される電圧、及び導光板下装飾基板５５０ｄ２の３列のＬＥＤ列のうち、第３のＬＥＤ列の初段のＬＥＤ５５０ｄ６（つまり、１つ目のＬＥＤ５５０ｄ６）のアノード端子に印加される電圧と、後述する出力電圧Ｖｏｕｔと、を比べてその差が大きくなればなるほど、誤差電圧Ｖｅｒが高くなるように構成されている。
【００８４】
このように、エラーアンプ部４８１ｂは、ＬＥＤ１端子〜ＬＥＤ６端子に印加される電圧（導光板上装飾基板５５０ｄ１及び導光板下装飾基板５５０ｄ２の各ＬＥＤ５５０ｄ６の最終段のＬＥＤ５５０ｄ６のカソード端子に印加される電圧）をモニタリングしている。
【００８５】
ＰＷＭコンパレータ部４８１ｃは、１つの反転入力端子（図中、「−」と記載。）と、１つの非反転入力端子（図中、「＋」と記載。）と、を有している。反転入力端子には、エラーアンプ部４８１ｂの比較結果である誤差電圧Ｖｅｒが印加されている一方、反転入力端子には、カレント検出部４８１ｄからの検出信号の電圧と、発振部（ＯＳＣ）４８１ｅからの三角波信号の電圧と、が加算された電圧（以下、「加算電圧」と記載する。）Ｖａｄが印加されている。
【００８６】
ＰＷＭコンパレータ部４８１ｃは、反転入力端子に印加される誤差電圧Ｖｅｒと、非反転入力端子に印加される加算電圧Ｖａｄと、を比較して比較結果に従ってデューティ比の比較信号を作成して制御部４８１ｆに出力するように構成されている。
【００８７】
カレント検出部４８１ｄは、ＬＥＤドライバＩＣ４８１と別体に（つまり、ＬＥＤドライバＩＣ４８１の外付けとして）電気的に接続される後述する抵抗Ｒ１の端子間電圧を検出するための２つの端子（ＲＰ端子、ＲＮ端子）を介して印加される電圧に基づいて抵抗Ｒ１に流れる電流を検出して検出結果を検出信号としてＰＷＭコンパレータ部４８１ｃに出力することができるように構成されている。
【００８８】
発振部（ＯＳＣ）４８１ｅは、三角波電圧を作成して三角波信号としてＰＷＭコンパレータ部４８１ｃに出力することができると共に、制御部４８１ｆに出力することができるように構成されている。
【００８９】
制御部４８１ｆは、ＰＷＭコンパレータ部４８１ｃからの比較信号に基づいて、セット信号とリセット信号とを作成してＳＲフリップフロップ部４８１ｇに出力することができるように構成されている。制御部４８１ｆは、スイッチング端子であるＳＷ端子と電気的に接続される後述するＮチャネル型電界効果トランジスタＴｒ１をＯＮ／ＯＦＦ制御するものであり、ＰＷＭコンパレータ部４８１ｃからの比較信号の論理がＬＯＷ（論理Ｌ）であるときにはＮチャネル型電界効果トランジスタＴｒ１をＯＮに制御するために、セット信号とリセット信号とを作成してＳＲフリップフロップ部４８１ｇに出力することができる一方、ＰＷＭコンパレータ部４８１ｃからの比較信号の論理がＨＩ（論理Ｈ）であるときにはＮチャネル型電界効果トランジスタＴｒ１をＯＦＦに制御するために、セット信号とリセット信号とを作成してＳＲフリップフロップ部４８１ｇに出力することができるように構成されている。つまり制御部４８１ｆは、Ｎチャネル型電界効果トランジスタＴｒ１をＯＮ／ＯＦＦすることができるスイッチング制御を、ＳＲフリップフロップ部４８１ｇを介して、行うことができるように構成されている。
【００９０】
ＳＲフリップフロップ部４８１ｇは、セット端子であるＳ端子、リセット端子であるＲ端子、出力端子であるＱ端子等を有している。Ｓ端子には、制御部４８１ｆからのセット信号が入力され、Ｒ端子には、制御部４８１ｆからのリセット信号が入力されている。ＳＲフリップフロップ部４８１ｇは、Ｓ端子に入力される制御部４８１ｆからのセット信号と、Ｒ端子に入力される制御部４８１ｆからのリセット信号と、に基づいて出力端子であるＱ端子からスイッチング信号を出力バッファ部４８１ｈに出力する。スイッチング信号は、出力バッファ部４８１ｈ、そしてスイッチング端子であるＳＷ端子を介して、Ｎチャネル型電界効果トランジスタＴｒ１に出力されることとなる。
【００９１】
カレントドライバ部４８１ｉは、エラーアンプ部４８１ｂの第１の反転入力端子〜第６の反転入力端子にそれぞれ印加される電圧が印加されている。つまり、カレントドライバ部４８１ｉは、導光板上装飾基板５５０ｄ１の３列のＬＥＤ列のうち、第１のＬＥＤ列の初段のＬＥＤ５５０ｄ６（つまり、１つ目のＬＥＤ５５０ｄ６）のアノード端子に印加される電圧、導光板上装飾基板５５０ｄ１の３列のＬＥＤ列のうち、第２のＬＥＤ列の初段のＬＥＤ５５０ｄ６（つまり、１つ目のＬＥＤ５５０ｄ６）のアノード端子に印加される電圧、導光板上装飾基板５５０ｄ１の３列のＬＥＤ列のうち、第３のＬＥＤ列の初段のＬＥＤ５５０ｄ６（つまり、１つ目のＬＥＤ５５０ｄ６）のアノード端子に印加される電圧、導光板下装飾基板５５０ｄ２の３列のＬＥＤ列のうち、第１のＬＥＤ列の初段のＬＥＤ５５０ｄ６（つまり、１つ目のＬＥＤ５５０ｄ６）のアノード端子に印加される電圧、導光板下装飾基板５５０ｄ２の３列のＬＥＤ列のうち、第２のＬＥＤ列の初段のＬＥＤ５５０ｄ６（つまり、１つ目のＬＥＤ５５０ｄ６）のアノード端子に印加される電圧、及び導光板下装飾基板５５０ｄ２の３列のＬＥＤ列のうち、第３のＬＥＤ列の初段のＬＥＤ５５０ｄ６（つまり、１つ目のＬＥＤ５５０ｄ６）のアノード端子に印加される電圧がそれぞれ印加されている。
【００９２】
カレントドライバ部４８１ｉは、ＬＥＤドライバＩＣ４８１と別体に外部に設けられる抵抗Ｒ２の一端と、電流設定端子であるＩｓ端子を介して、電気的に接続されている。この抵抗Ｒ２の他端はグランド（ＧＮＤ）に接地されている。カレントドライバ部４８１ｉは、抵抗Ｒ２の抵抗値に従って、導光板上装飾基板５５０ｄ１及び導光板下装飾基板５５０ｄ２の各ＬＥＤ５５０ｄ６に流れる電流を設定することができるものであり、本実施形態では、その電流を２０ミリアンペア（ｍＡ）に設定する抵抗値が予め設定されている。
【００９３】
なお、ＬＥＤドライバＩＣ４８１は、グランド（ＧＮＤ）の接地端子であるＧＮＤ端子が駆動基板４７７のグランド（ＧＮＤ）に接地されている。駆動基板４７７のグランド（ＧＮＤ）は、電源基板４７５のグランド（ＧＮＤ）と電気的に接続されていると共に、制御基板４７１のグランド（ＧＮＤ）と電気的に接続されており、同一のグランド（ＧＮＤ）となっている。
【００９４】
次に、ＬＥＤドライバＩＣ４８１におけるＰＷＭ方式のＤＣ／ＤＣコンバータ部と共に動作するＬＥＤドライバＩＣ４８１と別体に設けられるＤＣ／ＤＣコンバータ部の周辺回路について説明する。第１の導光板制御回路４８０は、ＤＣ／ＤＣコンバータ部の周辺回路として、ＬＥＤドライバＩＣ４８１の外付けとして、コイルＬ１、ショットキーバリアダイオードＤ１（以下、「ダイオードＤ１」と記載する。）、Ｎチャネル型電界効果トランジスタＴｒ１（以下、「トランジスタＴｒ１」と記載する。）、抵抗Ｒ１、コンデンサＣ１、Ｃ２等の電気部品から構成されるチョッパ型昇圧回路を備えている。
【００９５】
このチョッパ型昇圧回路は、トランジスタＴｒ１をＯＮ／ＯＦＦすることによりコイルＬ１を駆動して電源基板４７５からの第１の導光板用電源の電圧Ｖｐ１を昇圧して出力電圧Ｖｏｕｔを作成するものである。
【００９６】
具体的には、電源基板４７５からの第１の導光板用電源（電圧Ｖｐ１）を供給する第１の導光板用電電供給ラインとコイルＬ１の一端とが電気的に接続され、コイルＬ１の他端がトランジスタＴｒ１のドレインと電気的に接続されている。コイルＬ１の他端は、トランジスタＴｒ１のドレインと電気的に接続されているほかに、ダイオードＤ１のアノード端子と電気的に接続されていると共に、一端がグランド（ＧＮＤ）に接地されているコンデンサＣ１の他端と電気的に接続されてＬＥＤドライバＩＣ４８１の電源端子であるＶｉｎ端子と電気的に接続されている。
【００９７】
ダイオードＤ１のカソード端子は、一端がグランド（ＧＮＤ）に接地されているコンデンサＣ２の他端と電気的に接続されて、導光板上装飾基板５５０ｄ１における３列のＬＥＤ列のアノード端子（つまり、各ＬＥＤ列において、６個のＬＥＤ５５０ｄ６が電気的に直列接続された先頭のＬＥＤ５５０ｄ６のアノード端子）と、導光板下装飾基板５５０ｄ２における３列のＬＥＤ列のアノード端子（つまり、各ＬＥＤ列において、６個のＬＥＤ５５０ｄ６が電気的に直列接続された先頭のＬＥＤ５５０ｄ６のアノード端子）と、にそれぞれ電気的に接続されている。
【００９８】
トランジスタＴｒ１のゲート端子は、ＬＥＤドライバＩＣ４８１のスイッチング端子であるＳＷ端子と電気的に接続され、トランジスタＴｒ１のソース端子は、抵抗Ｒ１を介して、グランド（ＧＮＤ）に接地されている。
【００９９】
トランジスタＴｒ１のソース端子と電気的に接続される抵抗Ｒ１の一端は、ＬＥＤドライバＩＣ４８１のＲＰ端子と電気的に接続されていると共に、抵抗Ｒ１の他端（つまり、グランド（ＧＮＤ）に接地される側）は、ＲＮ端子と電気的接続されている。
【０１００】
トランジスタＴｒ１は、ＬＥＤドライバＩＣ４８１のスイッチング端子であるＳＷ端子からのＯＮ／ＯＦＦ信号によりＯＮ／ＯＦＦする。トランジスタＴｒ１がＯＮする状態となると、電源基板４７５からの第１の導光板用電源によりスイッチ電流がコイルＬ１、トランジスタＴｒ１、そして抵抗Ｒ１を介して、グランド（ＧＮＤ）へ向かって流れ、コイルＬ１に電気エネルギが蓄えられることとなる。これにより、ダイオードＤ１のアノード端子に印加される電圧は、トランジスタＴｒ１によりグランド（ＧＮＤ）側へ引き下げられることとなる。このとき、トランジスタＴｒ１がＯＮする状態にコンデンサＣ２が充電されていると、ダイオードＤ１のカソード端子に印加される電圧がダイオードＤ１のアノード端子に印加される電圧（ここでは、ほぼグランド（ＧＮＤ）レベルとなっている）と比べて高い状態となることでダイオードＤ１に逆バイアスが印加される状態となり、コンデンサＣ２が放電された電流は、トランジスタＴｒ１側へ向かって流れることを阻止されるのに対して、導光板上装飾基板５５０ｄ１における３列のＬＥＤ列と、導光板下装飾基板５５０ｄ２における３列のＬＥＤ列と、に向かって流れることとなる。
【０１０１】
これに対して、トランジスタＴｒ１がＯＦＦする状態となると、コイルＬ１に蓄えた電気エネルギが放出されることでコイルＬ１に逆起電圧が発生する。これにより、コンデンサＣ２が放電されることで電圧が印加されるダイオードＤ１のカソード端子と比べてダイオードＤ１のアノード端子に印加される電圧が高い状態となることでダイオードＤ１に順バイアスが印加される状態となり、電源基板４７５からの第１の導光板用電源による電流は、導光板上装飾基板５５０ｄ１における３列のＬＥＤ列と、導光板下装飾基板５５０ｄ２における３列のＬＥＤ列と、に向かって流れることとなる。これにより、コンデンサＣ２を充電してコンデンサＣ２に印加される電圧を昇圧することができる。
【０１０２】
このように、ＬＥＤドライバＩＣ４８１がスイッチング端子であるＳＷ端子からＯＮ／ＯＦＦ信号をトランジスタＴｒ１に出力することにより、トランジスタＴｒ１のＯＮ／ＯＦＦをすることにより、コイルＬ１に電気的エネルギを蓄えて放出することでコイルＬ１に逆起電圧を発生させ、ダイオードＤ１とコンデンサＣ２とにより整流して、電源基板４７５からの第１の導光板用電源の電圧Ｖｐ１と比べて高い所定の電圧（直流電圧）を出力電圧Ｖｏｕｔとして、導光板上装飾基板５５０ｄ１における３列のＬＥＤ列と、導光板下装飾基板５５０ｄ２における３列のＬＥＤ列と、にそれぞれ供給することができるようになっている。
【０１０３】
抵抗Ｒ１は、トランジスタＴｒ１に流れるスイッチ電流を検出ることができるため、ＬＥＤドライバＩＣ４８１におけるカレント検出部４８１ｄは、トランジスタＴｒ１に流れるスイッチ電流をモニタリングしている。
【０１０４】
このように、第１の導光板制御回路４８０では、ＬＥＤドライバＩＣ４８１において、上述したように、ＬＥＤ１端子〜ＬＥＤ６端子に印加される電圧（導光板上装飾基板５５０ｄ１及び導光板下装飾基板５５０ｄ２の各ＬＥＤ５５０ｄ６の最終段のＬＥＤ５５０ｄ６のカソード端子に印加される電圧）をエラーアンプ部４８１ｂでモニタリングしていると共に、トランジスタＴｒ１に流れるスイッチ電流をカレント検出部４８１ｄでモニタリングしていることにより、これらのモニタリングの結果によりトランジスタＴｒ１のＯＮ／ＯＦＦするスイッチ制御を制御部４８１ｆで行うことができるようになっている。これにより、制御部４８１ｆは、仮にエラーアンプ部４８１ｂの反転入力端子に印加されるＬＥＤ１端子〜ＬＥＤ６端子の電圧変動が急峻となったことにより上述した誤差電圧Ｖｅｒが追従することが困難となった場合において、カレント検出部４８１ｄによるトランジスタＴｒ１に流れるスイッチ電流のモニタリングの結果に従ってトランジスタＴｒ１のＯＮ／ＯＦＦすることができることで出力電圧Ｖｏｕｔの変動を抑制することができる。このような出力電圧Ｖｏｕｔの変動を抑制することができることにより、コンデンサＣ２として大容量を有する大型のコンデンサを採用する必要がなくなり、コスト削減に寄与することができると共に、コンデンサＣ２の駆動基板４７７における実装面積を小さく抑えることで駆動基板４７７に他の電子部品を配置するレイアウトに寄与することもできる。
【０１０５】
［表示例］
次に、画像表示装置５５０を用いた表示の一例について図１１〜図１３を参照して簡単に説明する。図１１は、画像表示装置に備える第１の導光板による発光を調光点灯した場合における表示例であり、図１２は、画像表示装置に備える第２の導光板による発光を調光点灯した場合における表示例であり、図１３は、画像表示装置に備える第３の導光板による発光を調光点灯した場合における表示例である。
【０１０６】
まず、第１の導光板５５０ｄのみを面発光した場合（第２の導光板５５０ｆ、及び第３の導光板５５０ｇが発光していない場合）について説明する。第１の導光板５５０ｄは、上述したように、第１の導光板５５０ｄの中央から下側へ向かって矩形状に形成される非発光領域５５０ｄ３と、この非発光領域５５０ｄ３を除いた形状となる凹字を上下にひっくり返した形状（以下、「逆凹字状」と記載する。）に形成される発光領域５５０ｄ４と、を有している。第１の導光板５５０ｄは、図９に示した導光板上装飾基板５５０ｄ１及び導光板下装飾基板５５０ｄ２の各ＬＥＤ５５０ｄ６が発光することにより、発光領域５５０ｄ４から正面方向（液晶パネル５５０ｅの方向）に面発光する。これにより、液晶部５５０ｅ３には、第１の導光板５５０ｄに形成される逆凹字状の発光領域５５０ｆ４から面発光される光が入射されることになる。正面から見た場合、液晶パネル５５０ｅの逆凹字状の内側部分に画像を視認することができるようになる。
【０１０７】
この例では、図１１に示すように、液晶部５５０ｅ３に形成される逆凹字状の領域に画像データとして花柄の画像が表示されるようにセットされており、発光領域５５０ｄ４の正面方向に対応する花柄画像が使用者に鮮明に視認されることができるようになっている。これに対して、発光領域５５０ｄ４以外の非発光領域５５０ｄ３の正面方向に対応する領域は、上述したように、液晶パネル５５０ｅが透過型とされ、第２の導光板５５０ｆ、第３の導光板５５０ｇ、及び裏蓋５５０ｍも透明であるため、非発光領域５５０ｄ３を通じて、液晶パネル５５０ｅの後方、つまり画像表示装置５５０の後方に存在するものが使用者に鮮明に視認されることができるようになっている。このように、第１の導光板５５０ｄのみを面発光した場合には、液晶パネル５５０ｅ（液晶部５５０ｅ３）が矩形状を有しているにもかかわらず、物理的に逆凹字状に形成される液晶パネル５５０ｅ’（液晶部５５０ｅ３’）が液晶パネル５５０ｅ（液晶部５５０ｅ３）と全く別のものとして配置されているように使用者に視認されることができるようになっている。
【０１０８】
次に、第２の導光板５５０ｆのみを面発光した場合（第１の導光板５５０ｄ、及び第３の導光板５５０ｇが発光していない場合）について説明する。第２の導光板５５０ｆは、上述したように、第２の導光板５５０ｆの下側に帯状に形成される非発光領域５５０ｆ３と、この帯状を有する非発光領域５５０ｆ３の上方に、帯状と同一の大きさを有する帯状の発光領域５５０ｆ４と、この帯状を有する発光領域５５０ｆ４の上方であって第２の導光板５５０ｆの略中央から第２の導光板５５０ｆの上側までに亘って矩形状を有する発光領域５５０ｆ４と、を有している。第２の導光板５５０ｆは、図９に示した導光板上装飾基板５５０ｆ１及び導光板下装飾基板５５０ｆ２の各ＬＥＤ５５０ｆ６が発光することにより、発光領域５５０ｆ４から正面方向（液晶パネル５５０ｅの方向）に面発光する。これにより、液晶部５５０ｅ３には、第２の導光板５５０ｆに形成される２つの発光領域５５０ｆ４から面発光される光が入射されることになる。正面から見た場合、液晶パネル５５０ｅの下側から上方に帯状の内側部分と、液晶パネル５５０ｅの略中央から上側全体の矩形状の内側部分と、に画像をそれぞれ視認することができるようになる。
【０１０９】
この例では、図１２に示すように、液晶パネル５５０ｅの下側から上方に帯状の領域に、画像データとして、「発展」、チェリー図、リプレイ図、ＢＡＲ図、リプレイ図、・・・等の画像がその領域の左から右に向かってスクロール表示されるようにセットされていると共に、液晶パネル５５０ｅの中央から上側までの領域のうち、下側の帯状の領域に、画像データとして、ベル図、チェリー図、リプレイ図、ＢＡＲ図、リプレイ図、・・・等の画像がその領域の左から右に向かってスクロール表示されるようにセットされ、この帯状の領域から上側の領域全体に、画像データとして、「チャンス！」という画像が表示されるようにセットされており、２つの発光領域５５０ｆ４の正面方向に対応する各画像が使用者に鮮明に視認されることができるようになっている。これに対して、発光領域５５０ｄ４以外の２つの帯状の非発光領域５５０ｄ３の正面方向に対応するそれぞれの領域は、上述したように、液晶パネル５５０ｅが透過型とされ、第１の導光板５５０ｄ、第３の導光板５５０ｇ、及び裏蓋５５０ｍも透明であるため、２つの帯状の非発光領域５５０ｆ３を通じて、液晶パネル５５０ｅの後方、つまり画像表示装置５５０の後方に存在するものが使用者に鮮明に視認されることができるようになっている。このように、第２の導光板５５０ｆのみを面発光した場合には、液晶パネル５５０ｅ（液晶部５５０ｅ３）が矩形状を有しているにもかかわらず、物理的に帯状に形成される液晶パネル５５０ｅ’（液晶部５５０ｅ３’）と、物理的に矩形状に形成される液晶パネル５５０ｅ’’（液晶部５５０ｅ３’’）とが所定間隔だけ離間された状態で、液晶パネル５５０ｅ（液晶部５５０ｅ３）と全く別のものとして、それぞれ配置されているように使用者に視認されることができるようになっている。
【０１１０】
次に、第３の導光板５５０ｇのみを面発光した場合（第１の導光板５５０ｄ、及び第２の導光板５５０ｆが発光していない場合）について説明する。第３の導光板５５０ｇは、上述したように、第３の導光板５５０ｇの下側から上側に向かって、この上側のみ山字状の曲線として矩形状に形成される非発光領域５５０ｇ３と、この非発光領域５５０ｇ３を除いた形状となる略門字状に形成される発光領域５５０ｇ４と、を有している。第３の導光板５５０ｇは、図９に示した導光板上装飾基板５５０ｇ１及び導光板下装飾基板５５０ｇ２の各ＬＥＤ５５０ｇ６が発光することにより、発光領域５５０ｇ４から正面方向（液晶パネル５５０ｅの方向）に面発光する。これにより、液晶部５５０ｅ３には、第３の導光板５５０ｇに形成される略門字状の発光領域５５０ｇ４から面発光される光が入射されることになる。正面から見た場合、液晶パネル５５０ｅの略門字状の内側部分に画像を視認することができるようになる。
【０１１１】
この例では、図１３に示すように、液晶部５５０ｅ３に形成される略門字状の領域に画像データとして柿の木画像が左右それぞれに表示されるようにセットされると共に、図９に示した画像表示装置５５０におけるタッチパネル５５０ａに触れるように指示するタッチ画像が左右それぞれに表示されるようにセットされており、発光領域５５０ｇ４の正面方向に対応する柿の木画像とタッチ画像とが使用者に鮮明に視認されることができるようになっている。使用者がタッチパネル５５０ａに触れると、触れた方の柿の木をロボットの腕に模した画像により揺らして柿が落ちる表示態様となるようになっている。これに対して、発光領域５５０ｇ４以外の非発光領域５５０ｇ３の正面方向に対応する領域は、上述したように、液晶パネル５５０ｅが透過型とされ、第１の導光板５５０ｄ、第２の導光板５５０ｆ、及び裏蓋５５０ｍも透明であるため、非発光領域５５０ｇ３を通じて、液晶パネル５５０ｅの後方、つまり画像表示装置５５０の後方に存在するものが使用者に鮮明に視認されることができるようになっている。このように、第３の導光板５５０ｇのみを面発光した場合には、液晶パネル５５０ｅ（液晶部５５０ｅ３）が矩形状を有しているにもかかわらず、物理的に略門字状に形成される液晶パネル５５０ｅ’（液晶部５５０ｅ３’）が液晶パネル５５０ｅ（液晶部５５０ｅ３）と全く別のものとして配置されているように使用者に視認されることができるようになっている。
【０１１２】
このように、発光させる導光板５５０ｄ〜５５０ｇを選択的に切り替えることにより、液晶パネル５５０ｅ（液晶部５５０ｅ３）が矩形状を有しているにもかかわらず、物理的に全く別の液晶部が１つないし複数配置されているように使用者に視認されることができると共に、画像表示装置５５０の後方に存在するものが使用者に鮮明に視認されることができる。しかも、液晶パネル５５０ｅが矩形状を有しているにもかかわらず、使用者から液晶部として視認される領域の形状を、導光板にて面発光される発光領域次第で、矩形状にとらわれない任意の形状とすることができる。
【０１１３】
以上に説明した画像表示システム１００によれば、発光領域とこの発光領域を除く非発光領域とによる発光態様を、発光素子により発光領域が面発光することで発光領域において画像表示を視認可能とすると共に非発光領域の後方を非発光領域を通して視認可能とする視認態様切替表示手段として画像表示装置５５０と、発光領域と非発光領域とによる発光態様を発光素子により切り替える発光態様切替手段として駆動基板４７７に備える第１の導光板制御回路４８０、第２の導光板制御回路４８２、及び第３の導光板制御回路４８４と、この発光態様切替手段により発光領域と非発光領域とによる発光態様が切り替えられることに対応して発光領域において画像表示の態様を切り替える画像表示態様切替手段として制御基板４７１と表示制御基板４７３と、を備えることで非発光領域の後方を視認可能とすることができるようになっている。
【０１１４】
具体的には、制御基板４７１は、画像表示装置５５０を統括制御するものであり、画像作成に関する各種信号を表示制御基板４７３に出力すると共に、導光板に関する各種信号を駆動基板４７７に出力する。表示制御基板４７３は、制御基板４７１からの画像作成に関する各種信号に基づいて画像信号を作成して画像表示装置５５０における液晶部５５０ｅ３に出力する。駆動基板４７７は、制御基板４７１からの導光板に関する各種信号として、第１の導光板用ＰＷＭ信号が制御基板４７１から入力されると、第１の導光板用ＰＷＭ信号に基づいて、第１の導光板５５０ｄ（導光板上装飾基板５５０ｄ１及び導光板下装飾基板５５０ｄ２に実装される発光素子として各ＬＥＤ５５０ｄ６）による発光を消灯、そして低輝度から高輝度までに亘る輝度範囲を調整して調光点灯し、第２の導光板用ＰＷＭ信号が制御基板４７１から入力されると、第２の導光板用ＰＷＭ信号に基づいて、第２の導光板５５０ｆ（導光板上装飾基板５５０ｆ１及び導光板下装飾基板５５０ｆ２に実装される発光素子として各ＬＥＤ５５０ｆ６）による発光を消灯、そして低輝度から高輝度までに亘る輝度範囲を調整して調光点灯し、第３の導光板用ＰＷＭ信号が制御基板４７１から入力されると、第３の導光板用ＰＷＭ信号に基づいて、第３の導光板５５０ｇ（導光板上装飾基板５５０ｇ１及び導光板下装飾基板５５０ｇ２に実装される発光素子として各ＬＥＤ５５０ｇ６）による発光を消灯、そして低輝度から高輝度までに亘る輝度範囲を調整して調光点灯する。
【０１１５】
そして、例えば、第１の導光板５５０ｄのみを面発光した場合（第２の導光板５５０ｆ、及び第３の導光板５５０ｇが発光していない場合）、第１の導光板５５０ｄは、上述したように、第１の導光板５５０ｄの中央から下側へ向かって矩形状に形成される非発光領域５５０ｄ３と、この非発光領域５５０ｄ３を除いた形状となる凹字を上下にひっくり返した形状（逆凹字状）に形成される発光領域５５０ｄ４と、を有しているため、第１の導光板５５０ｄは、図９に示した導光板上装飾基板５５０ｄ１及び導光板下装飾基板５５０ｄ２の各ＬＥＤ５５０ｄ６が発光することにより、発光領域５５０ｄ４から正面方向（液晶パネル５５０ｅの方向）に面発光する。これにより、液晶部５５０ｅ３には、第１の導光板５５０ｄに形成される逆凹字状の発光領域５５０ｆ４から面発光される光が入射されることになる。正面から見た場合、液晶パネル５５０ｅの逆凹字状の内側部分に画像を視認することができるようになる。この場合、図１１に示した例では、液晶部５５０ｅ３に形成される逆凹字状の領域に画像データとして花柄の画像が表示されるようにセットされており、発光領域５５０ｄ４の正面方向に対応する花柄画像が使用者に鮮明に視認されることができるようになっているのに対して、発光領域５５０ｄ４以外の非発光領域５５０ｄ３の正面方向に対応する領域は、上述したように、液晶パネル５５０ｅが透過型とされ、第２の導光板５５０ｆ、第３の導光板５５０ｇ、及び裏蓋５５０ｍも透明であるため、非発光領域５５０ｄ３を通じて、液晶パネル５５０ｅの後方、つまり画像表示装置５５０の後方に存在するものが使用者に鮮明に視認されることができるようになっている。
【０１１６】
このように、画像表示可能な透過型の表示パネル５５０ｅのバックライトとしての複数の面発光源のうちの１つを選択的に発光させると、各面発光源は、発光領域と非発光領域と、を備えているため、使用者は、発光領域に対応する部分の画像を容易に視認することができる。また、使用者は、非発光領域を通じて透過型の表示パネル５５０ｅの後方を視認可能であり、そのため、画像表示システム１００においては、今までにない新鮮味のある画像表示を行うことができる。したがって、画像表示システム１００によれば、多様性のある画像表示を行うことができる。
【符号の説明】
【０１１７】
１  収納ケース
１０１  底板
２  カバーケース
３  フレーム
３ａ  前室
３ｂ  後室
４  液晶表示パネル
５  液晶セル
６  前位相差板
７  前偏光板
８  後位相差板
９  後偏光板
１１  ドライバＬＳＩ
１２  フレキシブル配線基板
１３  面状証明装置
１４  導光板
１４１  一端面
１４２  前面
１４３  後面
１５  発光ダイオード（ＬＥＤ）
１６  光反射シート
１７  フレキシブル配線基板
１８  光拡散シート
１９  プリズムシート
２１  背面パネル
２２  駆動制御回路基板
２３  コネクタ
５１  前ガラス基板
５２  後ガラス基板
５２ａ  突出縁辺
５３  液晶層
５４  ブラックマスク
５５  カラーフィルタ層
５５Ｒ  カラーフィルタ（赤）
５５Ｇ  カラーフィルタ（緑）
５５Ｂ  カラーフィルタ（青）
５６  共通電極
５７  前水平配向膜
５８  画素電極
５９  薄膜トランジスタ
６０  液晶分子
６１  後水平配向膜
１００  画像表示システム
２０１  天板
２０２  表示窓
２２１  ＬＥＤドライバ回路
２２２  制御演算部
２２３  メモリ
３０１  側板
３０２  仕切り棚
４７１  制御基板
４７３  表示制御基板
４７５  電源基板
５５０  画像表示装置
５５０ｃ  フレーム
５５０ｄ  第１の導光板
５５０ｄ１  導光板上装飾基板
５５０ｄ２  導光板下装飾基板
５５０ｄ３  非発光領域
５５０ｄ４  発光領域
５５０ｄ５  基材
５５０ｄ６  ＬＥＤ
５５０ｆ  第２の導光板
５５０ｆ１  導光板上装飾基板
５５０ｆ２  導光板下装飾基板
５５０ｆ３  非発光領域
５５０ｆ４  発光領域
５５０ｆ５  基材
５５０ｆ６  ＬＥＤ
５５０ｇ  第３の導光板
５５０ｇ１  導光板上装飾基板
５５０ｇ２  導光板下装飾基板
５５０ｇ３  非発光領域
５５０ｇ４  発光領域
５５０ｇ５  基材
５５０ｇ６  ＬＥＤ
５５０ｅ  液晶パネル
５５０ｅ１  取付部
５５０ｅ２  取付部
５５０ｅ３  液晶部
５５０ｅ４  透明パネル
５５０ｐ１  プリズム構造領域
５５０ｓ  スペーサ
５５０ｍ  裏蓋
【図１】
2017032634.tif 000003
【図２】
2017032634.tif 000004
【図３】
2017032634.tif 000005
【図４】
2017032634.tif 000006
【図５】
2017032634.tif 000007
【図６】
2017032634.tif 000008
【図７】
2017032634.tif 000009
【図８】
2017032634.tif 000010
【図９】
2017032634.tif 000011
【図１０】
2017032634.tif 000012
【図１１】
2017032634.tif 000013
【図１２】
2017032634.tif 000014
【図１３】
2017032634.tif 000015